(57)【特許請求の範囲】
【請求項１】
兜鉢１の下方前面に眉庇部２を設けると共に兜鉢１の下方両面より下方後面に亘りしころ部３を設け、更に眉庇部２の両側でしころ部３の両端より吹返部４，４を設けると共に兜鉢１の裏面より忍緒５を露出した飾り兜に於いて眉庇部２の前端縁部６に断面Ｕ字状で前端縁部６の挿入間隙部７を有した飾り被覆縁部８を嵌合装着し、且つ飾り被覆縁部８は金属製細長部材９の長手方向両端の両端面部１０，１０間に多数の押出模様部１１を設け、且又多数の押出模様部１１の突出部１２が外表面に現れるれるよう金属製細長部材９の長手方向と直交する方向中央部１３を中心としてＵ字状に折曲すると共に挿入間隙部７を形成し、又更に眉庇部２の前端縁部６と飾り被覆縁部８に備えた両端面部１０，１０を接合し、更に吹返部４の外周端縁部１４に断面Ｕ字状で外周端縁部１４の挿入間隙部７を有した飾り被覆縁部８を嵌合装着し、且つ飾り被覆縁部８は金属製細長部材９の長手方向両端の両端面部１０，１０間に多数の押出模様部１１を設け、且又多数の押出模様部１１の突出部１２が外表面に現れるれるよう金属製細長部材９の長手方向と直交する方向中央部１３を中心としてＵ字状に折曲すると共に挿入間隙部７を形成し、又更に吹返部４の外周端縁部１４と飾り被覆縁部８に備えた両端面部１０，１０を接合したことを特徴とする飾り兜。
【発明の詳細な説明】
【０００１】
【産業上の利用分野】
この発明は、飾り兜に於ける眉庇部及び吹返部の美的感覚を助長すると共に眉庇部及び吹返部が妄りに変形することなく長期に亘り堅牢に使用できる飾り兜に関するものである。
【０００２】
【従来の技術】
従来子供の成長を願う為に飾り兜を家庭内の床の間等に於いて飾るようなことは普通に知られている。
【０００３】
又、図１０に図示したように兜鉢２１の下方前面に眉庇部２２を設けると共に兜鉢２１の下方両面より下方後面に亘りしころ部２３を設け、更に眉庇部２２の両側でしころ部２３の両端より吹返部２４，２４を設けると共に兜鉢２１の裏面より忍緒２５を露出した飾り兜は知られている。
【０００４】
【発明が解決しようとする問題点】
ところで、図１０に図示した従来より知られている飾り兜に於いて兜鉢２１の下方前面に眉庇部２２を設けると共に兜鉢２１の下方両面より下方後面に亘りしころ部２３を設け、更に眉庇部２２の両側でしころ部２３の両端より吹返部２４，２４を設けると共に兜鉢２１の裏面より忍緒２５を露出したものは眉庇部及び吹返部の美的感覚が欠落していると共に眉庇部及び吹返部が子供のいたずら等のために変形して長期に亘り堅牢に使用できず飾り兜としては使用上好ましくない等の欠点があつた。
【０００５】
この発明は上記の問題点を解決したものであり、飾り兜に於ける眉庇部及び吹返部の美的感覚を助長すると共に眉庇部及び吹返部が妄りに変形することなく長期に亘り堅牢に使用できて、子供のいたずら等のために妄りに変形することがなく子供の成長を願う為に家庭内の床の間等に於いて飾るに好適な飾り兜を得ることを目的とするものである。
【０００６】
【問題点を解決するための手段】
上記の目的を達成するためのこの発明は、兜鉢１の下方前面に眉庇部２を設けると共に兜鉢１の下方両面より下方後面に亘りしころ部３を設け、更に眉庇部２の両側でしころ部３の両端より吹返部４，４を設けると共に兜鉢１の裏面より忍緒５を露出した飾り兜に於いて眉庇部２の前端縁部６に断面Ｕ字状で前端縁部６の挿入間隙部７を有した飾り被覆縁部８を嵌合装着し、且つ飾り被覆縁部８は金属製細長部材９の長手方向両端の両端面部１０，１０間に多数の押出模様部１１を設け、且又多数の押出模様部１１の突出部１２が外表面に現れるれるよう金属製細長部材９の長手方向と直交する方向中央部１３を中心としてＵ字状に折曲すると共に挿入間隙部７を形成し、又更に眉庇部２の前端縁部６と飾り被覆縁部８に備えた両端面部１０，１０を接合し、更に吹返部４の外周端縁部１４に断面Ｕ字状で外周端縁部１４の挿入間隙部７を有した飾り被覆縁部８を嵌合装着し、且つ飾り被覆縁部８は金属製細長部材９の長手方向両端の両端面部１０，１０間に多数の押出模様部１１を設け、且又多数の押出模様部１１の突出部１２が外表面に現れるれるよう金属製細長部材９の長手方向と直交する方向中央部１３を中心としてＵ字状に折曲すると共に挿入間隙部７を形成し、又更に吹返部４の外周端縁部１４と飾り被覆縁部８に備えた両端面部１０，１０を接合したものである。
【０００７】
【実施例】
以下図面についてこの発明の実施例を説明すると、兜鉢１の下方前面に眉庇部２を設けると共に兜鉢１の下方両面より下方後面に亘りしころ部３を設け、更に眉庇部２の両側でしころ部３の両端より吹返部４，４を設けると共に兜鉢１の裏面より忍緒５を露出した飾り兜に於いて眉庇部２の前端縁部６に断面Ｕ字状で前端縁部６の挿入間隙部７を有した飾り被覆縁部８を嵌合装着し、且つ飾り被覆縁部８は金属製細長部材９の長手方向両端の両端面部１０，１０間に多数の押出模様部１１を設け、且又多数の押出模様部１１の突出部１２が外表面に現れるれるよう金属製細長部材９の長手方向と直交する方向中央部１３を中心としてＵ字状に折曲すると共に挿入間隙部７を形成し、又更に眉庇部２の前端縁部６と飾り被覆縁部８に備えた両端面部１０，１０を圧着又は接着等により強力に接合したものであり、更に眉庇部２は兜鉢１に取付金具１５を介して取付けたものである。
【０００８】
又、兜鉢１の下方前面に眉庇部２を設けると共に兜鉢１の下方両面より下方後面に亘りしころ部３を設け、更に眉庇部２の両側でしころ部３の両端より吹返部４，４を設けると共に兜鉢１の裏面より忍緒５を露出した飾り兜に於いて吹返部４の外周端縁部１４に断面Ｕ字状で外周端縁部１４の挿入間隙部７を有した飾り被覆縁部８を嵌合装着し、且つ飾り被覆縁部８は金属製細長部材９の長手方向両端の両端面部１０，１０間に多数の押出模様部１１を設け、且又多数の押出模様部１１の突出部１２が外表面に現れるれるよう金属製細長部材９の長手方向と直交する方向中央部１３を中心としてＵ字状に折曲すると共に挿入間隙部７を形成し、又更に吹返部４の外周端縁部１４と飾り被覆縁部８に備えた両端面部１０，１０を圧着又は接着等により強力に接合したものであり、又図示した吹返部４，４は両側外方に飾り板体１６，１６を連接して設けたものである。
【０００９】
【発明の作用効果】
この発明は上述のような構成であり、兜鉢１の下方前面に眉庇部２を設けると共に兜鉢１の下方両面より下方後面に亘りしころ部３を設け、更に眉庇部２の両側でしころ部３の両端より吹返部４，４を設けると共に兜鉢１の裏面より忍緒５を露出して形成したことによって、その飾り兜を家庭内の床の間等に置いて知恵賢くて心広やかなもののふのように、子供が知性と仁徳と勇気をそなえて健やかに成長してほしい願いをこめて飾り、長期に亘り子供の成長を祈ることができるものである。
【００１０】
ところが、子供のいたずら等で強度が弱い眉庇部２が変形し、家庭内の床の間等に置いて飾る飾り兜としての商品価値が低下するものであるが、眉庇部２の前端縁部６に断面Ｕ字状で前端縁部６の挿入間隙部７を有した飾り被覆縁部８を嵌合装着したことによって眉庇部２の変形が長期に亘り阻止して使用上極めて好都合である。
【００１１】
又、眉庇部２の前端縁部６に備えた飾り被覆縁部８は金属製細長部材９の長手方向両端の両端面部１０，１０間に多数の押出模様部１１を設け、且又多数の押出模様部１１の突出部１２が外表面に現れるれるよう金属製細長部材９の長手方向と直交する方向中央部１３を中心としてＵ字状に折曲すると共に挿入間隙部７を形成したことによって眉庇部２の前端縁部６に備えた飾り被覆縁部８には多数の押出模様部１１の突出部１２が現れて眉庇部２の変形阻止と相俟って眉庇部２の美的効果を助長し、更に飾り兜全体の装飾効果も倍増して飾り兜の商品価値を高めるものである。
【００１２】
又、眉庇部２の前端縁部６と飾り被覆縁部８に備えた両端面部１０，１０を接合したもので押出模様部１１を設けていない平面状の両端面部１０，１０が眉庇部２の前端縁部６と接合したことで眉庇部２の前端縁部６と飾り被覆縁部８とは強固に接合されて飾り被覆縁部８が眉庇部２の前端縁部６より妄りに離脱することなく長期の使用に耐え得るものである。
【００１３】
又、眉庇部２の両側でしころ部３の両端より設けた吹返部４，４は子供のいたずら等で吹返部４，４が変形し、家庭内の床の間等に置いて飾る飾り兜としての商品価値が低下するものであるが、吹返部４の外周端縁部１４に断面Ｕ字状で前端縁部６の挿入間隙部７を有した飾り被覆縁部８を嵌合装着したことによって吹返部４，４の変形が長期に亘り阻止して使用上極めて好都合である。
【００１４】
又、吹返部４，４の外周端縁部１４，１４に備えた飾り被覆縁部８は金属製細長部材９の長手方向両端の両端面部１０，１０間に多数の押出模様部１１を設け、且又多数の押出模様部１１の突出部１２が外表面に現れるれるよう金属製細長部材９の長手方向と直交する方向中央部１３を中心としてＵ字状に折曲すると共に挿入間隙部７を形成したことによって眉庇部２の前端縁部６に備えた飾り被覆縁部８には多数の押出模様部１１の突出部１２が現れて吹返部４，４の変形阻止と相俟って吹返部４，４の美的効果を助長し、更に飾り兜全体の装飾効果も倍増して飾り兜の商品価値を高めるものである。
【００１５】
又、吹返部４の外周端縁部１４と飾り被覆縁部８に備えた両端面部１０，１０を接合したもので押出模様部１１を設けていない平面状の両端面部１０，１０が吹返部４の外周端縁部１４と接合したことで吹返部４の外周端縁部１４と飾り被覆縁部８とは強固に接合されて飾り被覆縁部８が吹返部４の外周端縁部１４より妄りに離脱することなく長期の使用に耐え得るものである。
【００１６】
以上のようにこの発明は、飾り兜に於ける眉庇部及び吹返部の美的感覚を助長すると共に飾り兜全体の美的感覚を倍増し、更に眉庇部及び吹返部が妄りに変形することなく長期に亘り堅牢に使用できて無駄を省き、子供の成長を願う家庭内の床の間等に置いて飾るに好適な飾り兜を得ると共に使用上使い易く安価に提供できる等の幾多の産業的作用効果を奏するものである。
【図面の簡単な説明】
【図１】この発明の斜視図である。
【図２】眉庇部の平面図である。
【図３】図２に於けるＡ部の一部切欠拡大図である。
【図４】図３に於けるＡ−Ａ断面図である。
【図５】図３に於けるＢ−Ｂ断面図である。
【図６】図１に於けるＢ部の一部切欠拡大図である。
【図７】図６に於けるＡ−Ａ断面図である。
【図８】図６に於けるＢ−Ｂ断面図である。
【図９】押出模様部を設けた金属製細長部材の一部切欠平面図である。
【図１０】従来例の説明図である。
【符号の説明】
１  兜鉢
２  眉庇部
３  しころ部
４  吹返部
５  忍緒
６  前端縁部
７  挿入間隙部
８  飾り被覆縁部
９  金属製細長部材
１０  両端面部
１１  押出模様部
１２  突出部
１３  直交する方向中央部
１４  外周端縁部
１５  取付金具
１６  飾り板体
【図１】
0003749698.tif 000002
【図２】
0003749698.tif 000003
【図３】
0003749698.tif 000004
【図４】
0003749698.tif 000005
【図５】
0003749698.tif 000006
【図６】
0003749698.tif 000007
【図７】
0003749698.tif 000008
【図８】
0003749698.tif 000009
【図９】
0003749698.tif 000010
【図１０】
0003749698.tif 000011